(57)【要約】【課題】配管レイアウトを複雑化したり、製造性・保守性を大きく損なったりせず、高温となる吐出配管や、吐出ガス冷媒が流れる四方弁の熱損失を小さくできる室外機を提供する。【解決手段】冷媒を圧縮する圧縮機１と、前記圧縮機１から吐出される冷媒の冷媒回路中における流れ方向を切り替えて、冷房運転と暖房運転とを切り替える四方弁３と、前記圧縮機１及び前記四方弁３の周囲に立てて設けられた室外熱交換器６と、前記室外熱交換器の上方に設けられた送風ファンＦと、を備え、前記四方弁が１、前記室外熱交換器の設置面Ｃ１を基準として、当該室外熱交換器６の高さに対して３０％以下の高さに配置した。【選択図】図３
2019143844.tif 000002
【特許請求の範囲】
【請求項１】
冷媒を圧縮する圧縮機と、
前記圧縮機から吐出される冷媒の冷媒回路中における流れ方向を切り替えて、冷房運転と暖房運転とを切り替える四方弁と、
前記圧縮機及び前記四方弁の周囲に立てて設けられた室外熱交換器と、
前記室外熱交換器の上方に設けられた送風ファンと、を備え、
前記四方弁が、前記室外熱交換器の設置面を基準として、当該室外熱交換器の高さに対して３０％以下の高さに配置されていることを特徴とする室外機。
【請求項２】
前記四方弁が、前記室外熱交換機の設置面を基準として、400mm以下の高さに設けられている請求項１記載の室外機。
【請求項３】
前記四方弁は、前記圧縮機の最上部よりも低い高さに配置されることを特徴とする請求項１記載の室外機。
【請求項４】
前記四方弁と、前記室外熱交換器の内周面部との間に、遮蔽板が設けられている請求項１記載の室外機。
【請求項５】
前記遮蔽板の面板部が、前記室外熱交換器における前記遮蔽板近傍の平面とほぼ平行となるように設置されている請求項４記載の室外機。
【請求項６】
冷媒の気体成分と液体成分を分離するアキュームレータと、
前記圧縮機から吐出される冷媒中から冷凍機油を分離するオイルセパレータと、をさらに備え、
前記アキュームレータ及び前記オイルセパレータが前記室外熱交換器の内側に配置されており、
前記四方弁が、
前記圧縮機から吐出される冷媒が流れる吐出管と接続される第１接続管と、
室内機と接続されるガス管に接続される第２接続管部と、
前記室外熱交換器のヘッダーと接続される第３接続管と、
前記アキュームレータと接続される第４接続管と、を具備し、
前記各接続管の延伸方向が鉛直方向になるように配置されている請求項１記載の室外機。
【請求項７】
暖房運転が行われるように前記四方弁が切り替えられた状態において高温冷媒が流れる冷媒配管のうち、前記室外熱交換器の設置面を基準として、前記熱交換器の高さに対して３０％以上の高さにある部分の一部又は全部が、断熱材で覆われている請求項１記載の室外機。
【請求項８】
前記四方弁と前記室外熱交換器を接続する冷媒配管が、前記室外熱交換器の近傍において当該室外熱交換器のヘッダーの下端側から上端側へ延びるように設けられ、下方側から上方側へ向かって冷媒が流れるように構成された請求項１記載の室外機。
【請求項９】
前記四方弁と前記熱交換器を接続する冷媒配管は、上下方向に２つに分岐しており、分岐された前記冷媒配管はそれぞれ前記熱交換器のヘッダーと接続されている請求項１記載の室外機。
【請求項１０】
前記ヘッダーの径は、前記四方弁と前記室外熱交換器を接続する前記冷媒配管の径よりも小さいことを特徴とする請求項９記載の室外機。
【請求項１１】
前記アキュームレータと前記四方弁を接続する冷媒配管は、
前記アキュームレータの側面に接続されることを特徴とする請求項６記載の室外機。
【請求項１２】
前記四方弁と前記室外熱交換器の内周面部との間に電装品箱が配置されている請求項１記載の室外機。
【請求項１３】
前記室外熱交換器が、正面側の一部に開口部が形成されるように曲げて四面が形成されており、
正面側から見た場合に前記四方弁が前記開口部内に配置されている請求項１記載の室外機。
【請求項１４】
請求項１記載の室外機と、
前記室外機に接続された１又は複数の室内機と、を備えた空気調和装置。
【発明の詳細な説明】
【技術分野】
【０００１】
本発明は、空気調和装置（特に、ビル用マルチエアコン）の室外機に関するものである。
【背景技術】
【０００２】
空気調和装置の室外機には、概略直方体状のケーシング内側において当該ケーシングの両側面及び背面に沿って立設された室外機熱交換器と、ケーシングの室外天面部に上向きに設置された送風用ファンと、を備えた上吹き型のものがある。ここで、熱交換器はケーシングの底面部から天面部の送風ファン近傍の高さまで延びるように立てて配設されている。
【０００３】
上吹き型の室外機の場合、室外機の外側にある空気がケーシングの両側面及び背面に形成された吸気口から内側にある室外機熱交換器を通過して室外機の内部に入り、その後、上方にある送風用ファンに向かって上昇するように通風経路が形成される。
【０００４】
また、このような室外機では室外機熱交換器よりも内側であり、かつ、送風用ファンにより形成される通風経路内に、圧縮機や配管等の構成部品が設置されるものがある。
【０００５】
より具体的には、冷暖房運転を切り替えるための四方弁がケーシング内の室外機熱交換器の高さに対して、約半分程度の高さに位置するように配管をレイアウトしたものがある（例えば、特許文献１、特許文献２参照）。
【０００６】
上吹きの室外機の場合に上記のような位置に四方弁が配置されるのは、横吹きの室外機と比較して配管レイアウトが複雑になることに起因する。すなわち、上吹きの室外機の組み立て時において四方弁に対して室外機熱交換器、オイルセパレータ、アキュームレータといった機器との間を接続するための各配管を接続し易い位置にするために、上吹きの室外機では四方弁の配置は熱交換器高さの中央または、さらに上方に位置することが多い。
【０００７】
ところで、近年、高効率な空気調和装置が求められており、定格負荷での効率だけでなく、定格負荷よりも負荷の小さい状態で運転を行う部分負荷でも効率を改善することが求められつつある。
【０００８】
そこで、本願発明者が上吹きの室外機を備えた空気調和装置についてこのような課題について鋭意検討したところ、上述したような四方弁の配置が特に部分負荷での効率を低下させていることを初めて見出した。
【０００９】
すなわち、従来の上吹きの室外機では、暖房時に室外熱交換器を通過して冷却された空気が、四方弁の周りを大きい流速で流れる。このため、四方弁又は高温冷媒配管と冷却された空気との間での熱交換量が大きくなってしまい、高温冷媒が冷やされて熱損失が大きくなってしまっている。
【００１０】
ケーシングの両側面及び背面を覆う熱交換器を通って室外機内に吸い込まれ、天面部の送風ファンからのより吹き出される空気の風速は、室外機内の場所ごとに異なっている。具体的には、室外機の高さ方向の風速分布については、高さが高いほど風速が大きい傾向にある。一例として、室外機内の所定の位置においては、高さが200mm高くなると、風速が2倍になる場合がある。加えて、水平方向の風速分布については、熱交換器の近傍の室外機外周部分ほど風速が大きく、中央部分に近いほど風速が小さくなる傾向にある。
【００１１】
風速が大きい場所に配置された高温部品は、風速が小さい場所に配置された高温部品と比べて、当然熱損失が大きくなってしまう。
【００１２】
従来の室外機においては、送風ファンにより形成される通風経路内において風速が大きい位置に圧縮機と四方弁との間を接続する高温となる吐出配管や、吐出ガス冷媒が流れる四方弁が設置されている。したがって、これらの高温部品と空気とが熱交換することにより高温冷媒の熱損失が大きくなりやすいという課題がある。高温冷媒の熱損失が大きいと、特に暖房能力が低下するとともに暖房時の効率が低下する。
【先行技術文献】
【特許文献】
【００１３】
【特許文献１】特許５６７３６４５号公報
【特許文献２】特許５０６１４７１号公報
【発明の概要】
【発明が解決しようとする課題】
【００１４】
そこで、本発明は上述したような問題に鑑みてなされたものであり、配管レイアウトを複雑化したり、製造性・保守性を大きく損なったりせず、高温となる吐出配管や、吐出ガス冷媒が流れる四方弁の熱損失を小さくできる室外機を提供することを目的とする。
【課題を解決するための手段】
【００１５】
すなわち、本発明に係る室外機は、冷媒を圧縮する圧縮機と、前記圧縮機から吐出される冷媒の冷媒回路中における流れ方向を切り替えて、冷房運転と暖房運転とを切り替える四方弁と、前記圧縮機及び前記四方弁の周囲に立てて設けられた室外熱交換器と、前記室外熱交換器の上方に設けられた送風ファンと、を備え、前記四方弁が、前記室外熱交換器の設置面を基準として、当該室外熱交換器の高さに対して３０％以下の高さに配置されていることを特徴とする。
【００１６】
このようなものであれば、室外機内において前記送風ファンにより形成される気流の風速が比較的小さい位置に四方弁が配置されることになり、高温冷媒の熱損失を抑えることができる。したがって、特に暖房運転時の部分負荷での効率を従来よりも高める事が可能となる。
【００１７】
また、前記室外熱交換器の設置面を基準として、当該室外熱交換器の高さに対して３０％以下の高さに前記四方弁が配置されていることによって、四方弁と前記圧縮機等や前記室外熱交換器等の他の機器との接続性や保守性をそれほど損なわないようにすることができる。
【００１８】
本発明に係る室外機によって、特に部分負荷での効率を向上させられる具体的な構成例としては、前記送風ファンが、前記室外熱交換器の外側面部から内側面部へと流れた後に当該熱交換器の上方へと吹き出す通風経路を形成しているものが挙げられる。
【００１９】
例えばビルマルチタイプの空気調和装置に用いられる室外機において、前記四方弁での冷媒の熱損失を低減し、特に部分負荷での効率を向上させるのに適した具体的な設置位置としては、前記四方弁が、前記室外熱交換機の設置面を基準として、400mm以下の高さに設けられているものが挙げられる。
【００２０】
前記送風ファンにより形成される通風経路において十分に風速が小さい位置に前記四方弁を配置できるようにし、高温冷媒の熱損失を十分に低減できるようにするには、前記四方弁は、前記圧縮機の最上部よりも低い高さに配置されていればよい。
【００２１】
前記四方弁に対して前記送風ファンにより形成される空気流が直接当たらないようにして、さらに高温冷媒の熱損失を低減して、効率を向上させられるようにするには、前記四方弁と、前記室外熱交換器の内周面部との間に、遮蔽板が設けられていればよい。
【００２２】
前記送風ファンにより形成される通風経路において、前記四方弁に対しては水平方向に流れる空気流が直接当たらないようにしつつ、空気流の鉛直方向の流れに対して大きな通風抵抗とならないようにするには、前記遮蔽板の面板部が、前記室外熱交換器における前記遮蔽板近傍の平面とほぼ平行となるように設置されていればよい。
【００２３】
室外機内において形成される鉛直方向の空気流を前記四方弁が遮る面積を小さくし、空気流と前記四方弁との間での熱交換が行われにくくするには、冷媒の気体成分と液体成分を分離するアキュームレータと、前記圧縮機から吐出される冷媒中から冷凍機油を分離するオイルセパレータと、をさらに備え、前記アキュームレータ及び前記オイルセパレータが前記室外熱交換器の内側に配置されており、前記四方弁が、前記圧縮機から吐出される冷媒が流れる吐出管と接続される第１接続管と、室内機と接続されるガス管に接続される第２接続管部と、前記室外熱交換器のヘッダーと接続される第３接続管と、前記アキュームレータと接続される第４接続管と、を具備し、前記各接続管の延伸方向が鉛直方向になるように配置されていればよい。
【００２４】
前記四方弁だけでなく、室外機内において風速の大きい部分に配置されている高温冷媒が流れる冷媒配管からの熱損失を低減できるようにし、さらに効率を向上させられるようにするには、暖房運転が行われるように前記四方弁が切り替えられた状態において高温冷媒が流れる冷媒配管のうち、前記室外熱交換器の設置面を基準として、前記熱交換器の高さに対して３０％以上の高さにある部分の一部又は全部が、断熱材で覆われていればよい。
【００２５】
前記室外機内において前記四方弁が従来と比較して下方に設置されても、前記四方弁と前記室外熱交換器との間の接続する冷媒配管の配管長を出来る限り短くして、例えば暖房運転時における熱損失を低減できるようにするには、前記四方弁と前記室外熱交換器を接続する冷媒配管が、前記室外熱交換器の近傍において当該室外熱交換器のヘッダーの下端側から上端側へ延びるように設けられ、下方側から上方側へ向かって冷媒が流れるように構成されたものであればよい。
【００２６】
前記四方弁と前記室外熱交換器との間を接続する冷媒配管の配管長を短くするための別の態様としては、前記四方弁と前記熱交換器を接続する冷媒配管は、上下方向に２つに分岐しており、分岐された前記冷媒配管はそれぞれ前記熱交換器のヘッダーと接続されているものが挙げられる。
【００２７】
冷媒が下方から上方に向かって流れる場合でも前記室外熱交換器に対して均一に冷媒を分配できるようにするには、前記ヘッダーの径は、前記四方弁と前記室外熱交換器を接続する前記冷媒配管の径よりも小さいことを特徴とするものであればよい。
【００２８】
室外機の下方に配置された前記四方弁から前記アキュームレータに対して接続される冷媒配管の配管長を短くして冷媒からの熱損失を抑えられるようにするには、前記アキュームレータと前記四方弁を接続する冷媒配管は、前記アキュームレータの側面に接続されることを特徴とするものであればよい。
【００２９】
遮蔽板等を別途設けずに、前記四方弁に対して室外機内の水平方向に流れる空気流が直接吹き付けられるのを防ぎ、高温冷媒の熱損失を低減できるようにするには、前記四方弁と前記室外熱交換器の内周面部との間に電装品箱が配置されていればよい。
【００３０】
前記室外熱交換器の面板部の面積を出来る限り大きく取って室外機をコンパクト化しながら熱交換量を保つことができ、かつ、前記四方弁及びそれに接続される冷媒配管の接続性や保守性を高められるようにするには、前記室外熱交換器が、正面側の一部に開口部が形成されるように曲げて四面が形成されており、正面側から見た場合に前記四方弁が前記開口部内に配置されていればよい。
【００３１】
本発明に係る室外機と、前記室外機に接続された１又は複数の室内機と、を備えた空気調和装置であれば、定格負荷だけでなく、部分負荷においても効率を従来よりも向上させることができる。
【発明の効果】
【００３２】
このように本発明に係る室外機によれば、前記四方弁が前記室外熱交換器の設置面を基準として前記室外熱交換器の高さの３０％以下という低い位置に配置されているので、前記四方弁に対して吹き付けられる空気流の風速を十分に小さくすることができる。このため、前記四方弁を流れる高温冷媒が空気流によって熱が奪われにくくすることができ、例えば部分負荷のような運転状態においても効率を向上させることが可能となる。
【図面の簡単な説明】
【００３３】
【図１】本発明の一実施形態に係る空気調和装置を示す模式図。
【図２】同実施形態における室外機の模式的斜視図。
【図３】同実施形態における室外機の模式的正面図。
【図４】同実施形態における四方弁の拡大図。
【図５】本発明の別の実施形態における室外機の模式的斜視図。
【図６】本発明のさらに別の実施形態における室外機の模式的斜視図。
【図７】本発明のさらに別の実施形態の変形例における模式的斜視図。
【発明を実施するための形態】
【００３４】
本実施形態に係る室外機１００は、図１の暖房運転時の状態を示す模式図に示すように、並列に設けられた複数の室内機１０１と接続されてビルマルチタイプの空気調和装置２００を構成するものである。すなわち、室外機１００と室内機１０１が冷媒配管によって接続されることによって暖房運転時において圧縮機１、オイルセパレータ２、四方弁３、室内熱交換器４、室内膨張弁５、四方弁３、室外熱交換器６、アキュームレータ７の順番で冷媒が循環する冷媒回路が形成される。
【００３５】
室外機１００は、図２及び図３に示すようにいわゆる上吹きのものであって、概略直方体形状のケーシングＣ内に内側周面近傍に設けられた室外熱交換器６と、室外熱交換器６の上方に設けられ、上向きに空気流が吹き出すように取り付けられた送風ファンＦとを備えている。また、室外機１００は、ケーシングＣの中央部には圧縮機１、オイルセパレータ２、四方弁３、アキュームレータ７、及び、各機器を接続する冷媒配管が収容されており、これらの機器の周囲を囲むように前述した室外熱交換器６が立設してある。すなわち、冷媒が循環する各機器や配管は室外熱交換器６の内側において当該室外熱交換器６を通過し、熱交換が行われた後の空気流と接触し得る位置に配置されている。
【００３６】
以下に詳細について説明する。
【００３７】
ケーシングＣは少なくとも両側面、背面、正面の右側面側に空気流を通過させるための吸入開口が形成してあるとともに、送風ファンＦが取り付けられる天面部を有している。
【００３８】
室外熱交換器６はフィンアンドチューブ型のものであって、複数層の熱交換板を３箇所概略９０度曲げて両側面部、背面部、正面部を形成してある。また、正面の左側面部側には圧縮機１や四方弁３等を整備するために用いられる取り出し開口部が形成される。すなわち、このような室外熱交換器６によって室外機１００の両側面と背面のみだけでなく、正面の一部においても熱交換が生じるようにして、室外機１００をコンパクトに構成しながら、熱交換量は従来と同等の性能を維持できるようにしている。図３に示すように、室外熱交換器６の周囲を囲まれている機器のうち圧縮機１、四方弁３は取り出し開口部の手前側に配置され、アキュームレータ７やオイルセパレータ２は背面側に配置されている。
【００３９】
ケーシングＣの天面部に設けられた送風ファンＦは、上吹きとなるように構成されているので、図３の想像線で示すように、室外熱交換器６の外周側から内周側へと水平方向に流れる空気流を形成する。また、室外熱交換器６の内周側に流入した空気流は送風側へと吸い上げられて鉛直方向に向かって流れていく。このようにして形成される通風経路においては、各地点で風速が異なっており、送風ファンＦに近づくほど風速は大きくなる。すなわち、室外熱交換器６において下端側よりも上端側のほうが風速は大きくなり、例えば下端側と上端側においては風速で２倍程度の違いが発生する場合もある。
【００４０】
四方弁３は、図２乃至図４に示すように、概略扁平形状をなすものであり、弁体及び弁座が内部に形成された円筒状の主管３Ｍと、円筒状の主管３Ｍの側面に対して垂直に設けられた４本の接続管とを備えたものである。すなわち、圧縮機１から吐出される高温冷媒が流通する吐出管が接続される第１接続管３１と、室内機１０１と接続されるガス管に接続される第２接続管３２と、前記室外熱交換器６のヘッダー６１と接続される第３接続管３３と、アキュームレータ７と接続される第４接続管３４と、を具備している。図４に示すように、第２接続管３２、第３接続管３３、第４接続管３４は同じ側に主管３Ｍの軸方向に沿って並べて並列に設けられており、第１接続管３１のみが主管３Ｍの反対側に軸方向は第２乃至第４接続管３４と揃うように設けられている。
【００４１】
なお、本実施形態では四方弁３の第３接続管３３と室外熱交換器６のヘッダー６１とを接続する冷媒配管は、図２及び図３に示すように、一度下方から室外熱交換器６の上端近傍までの上昇した後、再び室外熱交換器６の下端側まで降りるように概略Ｕ字状に形成されている。
【００４２】
本実施形態では、四方弁３は室外熱交換器６の設置面Ｃ１を基準として、室外熱交換器６の高さに対して３０％以下の位置に配置されるように構成されている。また、圧縮機１において最も高い点よりも低い位置に四方弁３は配置される。言い換えると、室外機１００内において送風ファンＦにより形成される通風経路中において送風ファンＦの近傍の風速が１／２以下となる位置に配置している。具体的な高さとしては、室外熱交換器６の設置面Ｃ１であるケーシングＣの底面から４００ｍｍ以下の高さに四方弁３は配置される。このように四方弁３はケーシングＣ内において風速の小さい領域に配置されているので、従来と比較して第１接続管３１から流入する圧縮機１により圧縮され高温となった冷媒が暖房運転時において室外熱交換器６を通過し、冷やされた空気流によって熱損失が発生するのを防ぐことができる。
【００４３】
また、四方弁３はその面板部が水平方向を向くようにし、各接続管の軸方向が鉛直方向を向くように設置してある。さらに室外機１００の正面側から見た場合には図３及び図４に示すように、各接続管が少なくとも一部が見えるように斜めに配置してある。具体的には、第２接続管３２接続管が最も背面側に配置され、第４接続管３４が最も正面側に配置され、第３接続管３３がそれらの間に配置されるように右側面側から左側面奥側へ向かって斜めに傾けて四方弁３は配置される。このように配置することで、通気流路内の空気流は四方弁３の面板部に沿って鉛直方向に流れるので、乱流が発生しにくく、通風抵抗を増大させることがない。また、このため空気流と四方弁３との間の熱交換量を小さくすることができる。
【００４４】
さらに、取り出し開口部から背面側を見た場合に四方弁３の各接続管が視認できるように構成されているので、各接続管と冷媒配管とのロウ付け作業を行いやすくしたり、故障時などにおいて取り出し開口部から各接続管の位置を作業者が把握しやすくしたりできる。このため、四方弁３が従来と比較して室外機１００内において低い位置に配置されていても、製造性やメンテンナンスのしやすさを損なわないようにできる。
【００４５】
このように本実施形態の室外機１００であれば、四方弁３が従来と比較して室外機１００の通風経路内において風速が十分に小さい位置に配置されており、特に暖房運転時において四方弁３を流通する高温冷媒が室外熱交換器６を通過した温度の低い空気流によって冷却され、熱損失が生じ、冷凍サイクルとしての効率が低下するのを防ぐことができる。また、四方弁３が室外機１００内において低い位置に設けられているので、必然的にそれに接続される高温冷媒が流れる冷媒配管も室外機１００内において風速の小さい低い位置に配置される。したがって、冷媒配管からの熱損失も併せて低減することができる。
【００４６】
さらに、通風経路内に冷凍サイクルを形成するための各機器や配管を配置しても熱損失を低減し、部分負荷での効率を向上させられるので、例えば熱交換室と機械室を分けなくてもよい。このため、室外機１００自体をコンパクトに構成しながら、効率を保つことが可能となる。
【００４７】
次に本発明の別の実施形態について説明する。
【００４８】
図５に示すように、室外熱交換機の内周面部と四方弁３との間に遮蔽板８を設けておき、室外熱交換器６を通過した空気流が四方弁３に対して直接吹き付けられないようにしてもよい。また、このような遮蔽板８を設置する場合には、遮蔽板８の面板部が鉛直方向に沿って延びるように配置すれば、室外機１００内において空気流が鉛直方向に流れるのを妨げず、通風抵抗の増加を防ぐこともできる。また、遮蔽板８を別途設けるのではなく、室外熱交換器６と四方弁３との間に電装品箱が配置されるようにして、空気流が遮蔽されるようにしてもよい。
【００４９】
また、四方弁３と圧縮機１との間の接続し、高温の冷媒が流れる冷媒配管である吐出管については断熱材で覆うことによりさらに熱損失を低減できるようにしてもよい。また、全ての冷媒配管について断熱材を設けても良いが、製造コストの上昇を防ぎつつ、熱損失の低減効果を得られるようにするには、室外熱交換器６の設置面Ｃ１を基準として、室外熱交換器６の高さに対して３０％以上の高さにある高温冷媒が流れる冷媒配管については断熱材で覆うようにすればよい。例えば図５においてハッチング施されているような、圧縮機１から吐出されている高温冷媒が流通する冷媒配管のうち、圧縮機１よりも上方を通るようなものについては断熱材で覆うようにすればよい。
【００５０】
四方弁３と室外熱交換器６のヘッダー６１との間を接続する冷媒配管との間の配管長を出来る限り短くして、特に暖房運転時における冷媒からの熱損失を低減できるようにするには、図７に示すように、四方弁３と室外熱交換器６を接続する冷媒配管が、室外熱交換器６の近傍において当該室外熱交換器６のヘッダー６１の下端側から上端側へ延びるように設けられ、下方側から上方側へ向かって冷媒が流れるように構成されていればよい。
【００５１】
また、別の態様としては、図８に示すようにヘッダー６１に接続される冷媒配管が上下に２つに分岐するように構成してもよい。なお、ヘッダー６１の経については接続される冷媒配管の経よりも小さく構成しておき、ヘッダー６１の上下方向で冷媒の分布に偏りが生じにくくすればよい。
【００５２】
その他の実施形態について説明する。
【００５３】
各実施形態で示した四方弁３の位置は一例であり、さらに低い位置に四方弁３を設けても良い。例えばケーシングＣの底面から４００ｍｍ以下の範囲内において四方弁３は任意の位置に設けてもよい。このような範囲であれば、四方弁３を流通する高温冷媒からの熱損失を低減できる効果を得られる。
【００５４】
四方弁３の取り付け向けについても実施形態に示されたものに限られず、例えば四方弁３の面板部が鉛直方向を向くように設けても良い。室外熱交換器６は、圧縮機１や四方弁３の周囲を全て囲うものではなく、一部を囲うものであればよく、例えば室外機において両側面及び背面のみに設けられるものであってもよい。
【００５５】
各実施形態では圧縮機１は１つだけ設けられたものであったが、複数の圧縮機１が並列に設けられた構成であっても、本発明は適用可能である。
【００５６】
その他、本発明の趣旨に反しない限りにおいて様々な実施形態の組み合わせや変形を行ってもかまわない。
【符号の説明】
【００５７】
２００・・・空気調和装置
１００・・・室外機
１    ・・・圧縮機
３    ・・・四方弁
６    ・・・室外熱交換器
【図１】
2019143844.tif 000003
【図２】
2019143844.tif 000004
【図３】
2019143844.tif 000005
【図４】
2019143844.tif 000006
【図５】
2019143844.tif 000007
【図６】
2019143844.tif 000008
【図７】
2019143844.tif 000009